(57)【要約】【課題】電子マネーによる決済を採用し、投票から払戻まで全てを電子的に行うことを可能にする公営競技用データ処理システムを提供する。【解決手段】ネットワークを介して顧客端末及び銀行システムと接続される公営競技用データ処理システムが、該顧客端末から顧客端末固体情報及び払戻口座情報を受信し、該銀行システムとの通信により口座を確認し、振込み用の口座登録を行う口座登録手段と、該顧客端末から投票情報及び電子マネーを受信し、該顧客端末へ電子投票券を送信する投票受付手段と、該顧客端末から的中照会を受信し、該顧客端末へ的中情報を送信する照会応答手段と、該顧客端末から払戻依頼を受信し、該口座登録を確認し、該銀行システムとの通信により該当する口座に対する振込みを行う払戻手段と、を具備するように構成される。【選択図】図２
2008257349.tif 000002
【特許請求の範囲】
【請求項１】
ネットワークを介して顧客端末及び銀行システムと接続される公営競技用データ処理システムであって、
該顧客端末から顧客端末固体情報及び払戻口座情報を受信し、該銀行システムとの通信により口座を確認し、振込み用の口座登録を行う口座登録手段と、
該顧客端末から投票情報及び電子マネーを受信し、該顧客端末へ電子投票券を送信する投票受付手段と、
該顧客端末から的中照会を受信し、該顧客端末へ的中情報を送信する照会応答手段と、
該顧客端末から払戻依頼を受信し、該口座登録を確認し、該銀行システムとの通信により該当する口座に対する振込みを行う払戻手段と、
を具備する公営競技用データ処理システム。
【請求項２】
該顧客端末とインターネットで接続され、該銀行システムと専用回線で接続される、請求項１に記載の公営競技用データ処理システム。
【請求項３】
該顧客端末が携帯電話である、請求項１に記載の公営競技用データ処理システム。
【請求項４】
該顧客端末がパーソナルコンピュータである、請求項１に記載の公営競技用データ処理システム。
【請求項５】
該電子マネーがネットワーク型電子マネーである、請求項１に記載の公営競技用データ処理システム。
【請求項６】
ネットワークを介して顧客端末及び銀行システムと接続される公営競技用データ処理システムに設けられるコンピュータを、
該顧客端末から顧客端末固体情報及び払戻口座情報を受信し、該銀行システムとの通信により口座を確認し、振込み用の口座登録を行う口座登録手段と、
該顧客端末から投票情報及び電子マネーを受信し、該顧客端末へ電子投票券を送信する投票受付手段と、
該顧客端末から的中照会を受信し、該顧客端末へ的中情報を送信する照会応答手段と、
該顧客端末から払戻依頼を受信し、該口座登録を確認し、該銀行システムとの通信により該当する口座に対する振込みを行う払戻手段と、
として機能させるためのプログラム。
【請求項７】
ネットワークを介して顧客端末及び銀行システムと接続される公営競技用データ処理システムにおけるデータ処理方法であって、
口座登録手段が、該顧客端末から顧客端末固体情報及び払戻口座情報を受信し、該銀行システムとの通信により口座を確認し、振込み用の口座登録を行うステップと、
投票受付手段が、該顧客端末から投票情報及び電子マネーを受信し、該顧客端末へ電子投票券を送信するステップと、
照会応答手段が、該顧客端末から的中照会を受信し、該顧客端末へ的中情報を送信するステップと、
払戻手段が、該顧客端末から払戻依頼を受信し、該口座登録を確認し、該銀行システムとの通信により該当する口座に対する振込みを行うステップと、
を具備する、公営競技用データ処理システムにおけるデータ処理方法。
【発明の詳細な説明】
【技術分野】
【０００１】
本発明は、競馬、競輪、競艇、オートレース等の公営競技のためのデータ処理システムに関する。
【背景技術】
【０００２】
例えば、公営競馬等では、遠隔地にいるファンへのサービス、馬券発売窓口の混雑緩和等を目的として、電話による投票の制度が構築されている。具体的には、この制度を利用する会員が電話やインターネットで勝馬投票を行い、それに応じて、馬券購入代金の支払、配当金の払戻等の授受が会員の銀行口座を通じて行われる（例えば、下記特許文献１参照）。かかる決済は、通常、指定銀行の専用口座で行われる。
【０００３】
一方、近年においては、商品の代金支払等を電子的に行う電子決済の方法として、電子マネーによる決済が普及しつつある。電子マネーは、通貨の価値を電子的な情報に置き換えたものである。
【０００４】
電子マネーは、利用形態すなわちメディアの観点から、ＩＣカードのチップに記憶されるＩＣカード型電子マネーと、ネットワークを介してのやり取りを可能にすべくコンピュータのメモリに記憶されるネットワーク型（ソフトウェア型）電子マネーと、に分類される。また、電子マネーは、流通形態の観点から、支払の度に発行機関に戻されるクローズドループ型電子マネーと、転々流通性を持つオープンループ型電子マネーと、に分類される。
【０００５】
公営競技においても、かかる電子マネーを利用した決済を行うことで、従来の電話投票制度に比較して、ファンにとって利便性が更に向上するものと予想される。
【０００６】
【特許文献１】特開平８−２４９４０６号公報
【発明の開示】
【発明が解決しようとする課題】
【０００７】
本発明は、上述した背景に鑑みてなされたものであり、その目的は、電子マネーによる決済を採用し、投票から払戻まで全てを電子的に行うことを可能にする公営競技用データ処理システムを提供することにある。
【課題を解決するための手段】
【０００８】
上記目的を達成するために、本発明によれば、ネットワークを介して顧客端末及び銀行システムと接続される公営競技用データ処理システムであって、該顧客端末から顧客端末固体情報及び払戻口座情報を受信し、該銀行システムとの通信により口座を確認し、振込み用の口座登録を行う口座登録手段と、該顧客端末から投票情報及び電子マネーを受信し、該顧客端末へ電子投票券を送信する投票受付手段と、該顧客端末から的中照会を受信し、該顧客端末へ的中情報を送信する照会応答手段と、該顧客端末から払戻依頼を受信し、該口座登録を確認し、該銀行システムとの通信により該当する口座に対する振込みを行う払戻手段と、を具備する公営競技用データ処理システムが提供される。
【０００９】
一つの好適な態様では、該公営競技用データ処理システムは、該顧客端末とインターネットで接続され、該銀行システムと専用回線で接続される。
【００１０】
一つの好適な態様では、該顧客端末は携帯電話である。
【００１１】
あるいは、該顧客端末はパーソナルコンピュータである。
【００１２】
一つの好適な態様では、該電子マネーはネットワーク型電子マネーである。
【００１３】
さらに、本発明によれば、上述のシステムにおいて実施される方法及び上述のシステムを機能させるためのコンピュータプログラムが提供される。
【発明の効果】
【００１４】
本発明による公営競技用データ処理システムにあっては、電子マネーによる決済が採用されることで、投票から払戻まで全てが電子的に行われることが可能になる。そのため、公営競技のファンは、競技場や払戻所に足を運ぶ煩わしさから解放される。
【発明を実施するための最良の形態】
【００１５】
以下、添付図面を参照して本発明の実施形態について説明する。図１は、本発明による公営競技用データ処理システム（競技場システム）を含むネットワークの構成を示す図である。同図において、符号１０は公営競技用データ処理システムとしての競技場システム、符号２０は銀行システム、符号３０は携帯電話又はパーソナルコンピュータ（ＰＣ）からなる顧客端末、をそれぞれ示す。銀行システム２０及び顧客端末３０は、それぞれ一つ図示されているが、通常、複数個で構成される。
【００１６】
競技場システム１０、銀行システム２０及び顧客端末３０の各々は、プロセッサ、メインメモリ等を備えるコンピュータシステムである。プロセッサが、メインメモリにロードされたプログラムに従って動作することにより、これらのコンピュータシステムは、各々の処理機能を実現する。
【００１７】
そして、図１に示されるように、競技場システム１０、銀行システム２０及び顧客端末３０の各々は、インターネット４２に接続することができる。また、競技場システム１０と銀行システム２０との間には、専用回線４４が設けられている。
【００１８】
競技場システム１０は、投票システム１２及び払戻システム１４という二つのサブシステムから構成される。投票システム１２は、発行済み投票券の集計等を行うものであり、投票データベース１２２を備える。一方、払戻システム１４は、払戻金の計算等を行うものであり、口座情報データベース１４２を備える。
【００１９】
また、銀行システム２０は、通常の銀行業務に加え、インターネットバンキングをサポートするものであり、顧客データベース２２を備える。
【００２０】
また、顧客端末３０は、当該顧客に対応する電子マネー記憶部３２を、その内部又は外部に備える。例えば、ネットワーク型電子マネーの場合、電子マネー記憶部３２は、パーソナルコンピュータや携帯電話の内部メモリ内に設けられてもよいし、インターネット接続業者のシステムのメモリ内に設けられてもよい。
【００２１】
図２は、競技場システム、銀行システム及び顧客端末の動作の流れを示す図である。まず、ステップ２０２、２０４、２０６、２０８及び２１０において、払戻システム１４に対し、ファンによる口座登録が行われる。
【００２２】
具体的には、顧客端末３０から、インターネット４２を介して、払戻システム１４へ、電子マネー会員を特定する番号としての顧客端末３０の固体情報と、ファンに対しての払戻金の銀行振込み先としての払戻口座情報と、が送信される（ステップ２０２）。
【００２３】
すると、払戻システム１４から、インターネット４２を介して、顧客端末３０へ、受付完了を示す情報が送信される（ステップ２０４）。
【００２４】
次いで、払戻システム１４から、専用回線４４を介して、銀行システム２０へ、口座確認のための問い合わせが送信される（ステップ２０６）。
【００２５】
それに対し、銀行システム２０から、専用回線４４を介して、払戻システム１４へ、口座確認結果が送信される（ステップ２０８）。
【００２６】
その口座確認結果に基づいて、払戻システム１４は、口座情報データベース１４２に、オンライン払戻用の口座番号を登録する（ステップ２１０）。
【００２７】
口座登録が完了すると、ステップ２１２及び２１４において、投票券の購入に必要となる代金を予め蓄えておくための入金処理が行われる。
【００２８】
具体的には、まず、顧客端末３０から、インターネット４２を介して、銀行システム２０に対し、オンラインによる入金が行われる（ステップ２１２）。
【００２９】
その入金に応じて、電子マネー記憶部３２に、一定金額の電子マネーがチャージされることとなる（ステップ２１４）。
【００３０】
入金が完了すると、ステップ２１６及び２１８において、投票が電子的に行われる。
【００３１】
具体的には、まず、顧客端末３０から、インターネット４２を介して、投票システム１２へ、投票情報が、電子マネー記憶部３２に記憶された電子マネーとともに、送信される（ステップ２１６）。
【００３２】
その投票情報及び電子マネーに基づいて、投票システム１２から、インターネット４２を介して、顧客端末３０へ、電子投票券が発行される（ステップ２１８）。その電子投票券には、投票内容を特定するための電子キーが記憶されている。
【００３３】
レースの終了後には、ステップ２２０及び２２２において、ファンは、投票照会を行い、レース結果を確認することができる。
【００３４】
具体的には、顧客端末３０から、インターネット４２を介して、払戻システム１４へ、投票キーによる的中照会が送信される（ステップ２２０）。
【００３５】
その的中照会に応じて、払戻システム１４から、インターネット４２を介して、顧客端末３０へ、的中情報が、投票情報とともに、送信される（ステップ２２２）。
【００３６】
投票が的中していたことを的中情報が示す場合には、ステップ２２４、２２６、２２８及び２３０において、ファンは払戻を受けることができる。
【００３７】
すなわち、まず、顧客端末３０から、インターネット４２を介して、払戻システム１４へ、投票キーによる払戻依頼が送信される（ステップ２２４）。
【００３８】
すると、払戻システム１４から、インターネット４２を介して、顧客端末３０へ、的中情報が送信される（ステップ２２６）。
【００３９】
それと同時に、払戻システム１４は口座登録を確認し、払戻システム１４から、専用回線４４を介して、銀行システム２０へ、払戻金の振込み依頼が行われる（ステップ２２８）。
【００４０】
振込み完了後、銀行システム２０から、専用回線４４を介して、払戻システム１４へ、振込み結果が送信される（ステップ２３０）。
【００４１】
以後、ファンは、自分の口座に振込まれた払戻金を引出す等、払戻金を自由に処理することができる。
【００４２】
上述の実施形態によれば、電子マネーによる決済が採用されることで、投票から払戻まで全てが電子的に行われ、ファンは、投票券発売所や払戻所に足を運ぶ煩わしさから解放される。
【００４３】
以上、本発明を特にその好ましい実施の形態を参照して詳細に説明した。本発明の容易な理解のため、本発明の具体的な形態を以下に付記する。
【００４４】
（付記１）  ネットワークを介して顧客端末及び銀行システムと接続される公営競技用データ処理システムであって、
該顧客端末から顧客端末固体情報及び払戻口座情報を受信し、該銀行システムとの通信により口座を確認し、振込み用の口座登録を行う口座登録手段と、
該顧客端末から投票情報及び電子マネーを受信し、該顧客端末へ電子投票券を送信する投票受付手段と、
該顧客端末から的中照会を受信し、該顧客端末へ的中情報を送信する照会応答手段と、
該顧客端末から払戻依頼を受信し、該口座登録を確認し、該銀行システムとの通信により該当する口座に対する振込みを行う払戻手段と、
を具備する公営競技用データ処理システム。
【００４５】
（付記２）  該顧客端末とインターネットで接続され、該銀行システムと専用回線で接続される、付記１に記載の公営競技用データ処理システム。
【００４６】
（付記３）  該顧客端末が携帯電話である、付記１に記載の公営競技用データ処理システム。
【００４７】
（付記４）  該顧客端末がパーソナルコンピュータである、付記１に記載の公営競技用データ処理システム。
【００４８】
（付記５）  該電子マネーがネットワーク型電子マネーである、付記１に記載の公営競技用データ処理システム。
【００４９】
（付記６）  ネットワークを介して顧客端末及び銀行システムと接続される公営競技用データ処理システムに設けられるコンピュータを、
該顧客端末から顧客端末固体情報及び払戻口座情報を受信し、該銀行システムとの通信により口座を確認し、振込み用の口座登録を行う口座登録手段と、
該顧客端末から投票情報及び電子マネーを受信し、該顧客端末へ電子投票券を送信する投票受付手段と、
該顧客端末から的中照会を受信し、該顧客端末へ的中情報を送信する照会応答手段と、
該顧客端末から払戻依頼を受信し、該口座登録を確認し、該銀行システムとの通信により該当する口座に対する振込みを行う払戻手段と、
として機能させるためのプログラム。
【００５０】
（付記７）  該公営競技用データ処理システムが、該顧客端末とインターネットで接続され、該銀行システムと専用回線で接続される、付記６に記載のプログラム。
【００５１】
（付記８）  該顧客端末が携帯電話である、付記６に記載のプログラム。
【００５２】
（付記９）  該顧客端末がパーソナルコンピュータである、付記６に記載のプログラム。
【００５３】
（付記１０）  該電子マネーがネットワーク型電子マネーである、付記６に記載のプログラム。
【００５４】
（付記１１）  ネットワークを介して顧客端末及び銀行システムと接続される公営競技用データ処理システムにおけるデータ処理方法であって、
口座登録手段が、該顧客端末から顧客端末固体情報及び払戻口座情報を受信し、該銀行システムとの通信により口座を確認し、振込み用の口座登録を行うステップと、
投票受付手段が、該顧客端末から投票情報及び電子マネーを受信し、該顧客端末へ電子投票券を送信するステップと、
照会応答手段が、該顧客端末から的中照会を受信し、該顧客端末へ的中情報を送信するステップと、
払戻手段が、該顧客端末から払戻依頼を受信し、該口座登録を確認し、該銀行システムとの通信により該当する口座に対する振込みを行うステップと、
を具備する、公営競技用データ処理システムにおけるデータ処理方法。
【００５５】
（付記１２）  該公営競技用データ処理システムが、該顧客端末とインターネットで接続され、該銀行システムと専用回線で接続される、付記１１に記載のデータ処理方法。
【００５６】
（付記１３）  該顧客端末が携帯電話である、付記１１に記載のデータ処理方法。
【００５７】
（付記１４）  該顧客端末がパーソナルコンピュータである、付記１１に記載のデータ処理方法。
【００５８】
（付記１５）  該電子マネーがネットワーク型電子マネーである、付記１１に記載のデータ処理方法。
【図面の簡単な説明】
【００５９】
【図１】本発明による公営競技用データ処理システム（競技場システム）を含むネットワークの構成を示す図である。
【図２】競技場システム、銀行システム及び顧客端末の動作の流れを示す図である。
【符号の説明】
【００６０】
１０    公営競技用データ処理システム（競技場システム）
１２    投票システム
１２２    投票データベース
１４    払戻システム
１４２    口座情報データベース
２０    銀行システム
２２    顧客データベース
３０    顧客端末（携帯電話又はＰＣ）
３２    電子マネー記憶部
４２    インターネット
４４    専用回線
【図１】
2008257349.tif 000003
【図２】
2008257349.tif 000004